(57)【要約】  携帯機器は、第１筐体と、第２筐体とを具備する。第１筐体は、第１方向に平行な第１軌道面と、第１方向に垂直な第１筐体第１平面とを備える。第２筐体は、第１ピンと、第１筐体第１平面と対向する第２筐体第１平面とを備える。第１ピンは、第２筐体第１平面から突き出す。第２筐体第１平面が第１筐体第１平面に沿って滑り、第１ピンが第１軌道面に沿って滑ることにより、第２筐体が第１筐体に対して摺動する。がたつきのない円滑な摺動が可能な携帯機器が提供される。
2008120701.tif 000002
【特許請求の範囲】
【請求項１】
第１筐体と、
第２筐体と
を具備し、
前記第１筐体は、
第１方向に平行な第１軌道面と、
前記第１方向に垂直な第１筐体第１平面と
を備え、
前記第２筐体は、
第１ピンと、
前記第１筐体第１平面と対向する第２筐体第１平面と
を備え、
前記第１ピンは、前記第２筐体第１平面から突き出し、
前記第２筐体第１平面が前記第１筐体第１平面に沿って滑り、前記第１ピンが前記第１軌道面に沿って滑る
携帯機器。
【請求項２】
前記第１ピンは、前記第２筐体第１平面から前記第１方向に突き出し、
前記第１ピンは、前記第１方向に平行な第１接触線に沿って前記第１軌道面に接触する
請求の範囲１の携帯機器。
【請求項３】
前記第１筐体第１平面に沿って第１溝が設けられ、
前記第１軌道面は、前記第１溝の第１壁面であり、
前記第１ピンは、前記第１方向を軸方向とする円柱体を備える
請求の範囲２の携帯機器。
【請求項４】
前記第１溝は、前記第１ピンの第１先端と対向する第１底面を備え、
前記第２筐体は、前記第２筐体第１面を備えた第１基部を備え、
前記第１基部は、前記第１方向に進退可能なように前記第１ピンを支持し、
前記第１基部は、前記第１先端を前記第１底面に押し付けるように前記第１ピンを付勢する第１付勢部を備え、
前記第１底面に凸部が設けられた
請求の範囲３の携帯機器。
【請求項５】
前記第１底面は、前記第１溝の深さが前記第１溝に沿って変化するように前記第１筐体第１平面に対して傾斜した部分を備えた
請求の範囲４の携帯機器。
【請求項６】
前記第１溝は、前記第１ピンの第１先端と対向する第１底面を備え、
前記第２筐体は、前記第２筐体第１面を備えた第１基部を備え、
前記第１基部は、前記第１方向に進退可能なように前記第１ピンを支持し、
前記第１基部は、前記第１先端を前記第１底面に押し付けるように前記第１ピンを付勢する第１付勢部を備え、
前記第１底面は、前記第１溝の深さが前記第１溝に沿って変化するように前記第１筐体第１面に対して傾斜した部分を備えた
請求の範囲３の携帯機器。
【請求項７】
前記第１筐体は、
前記第１方向に平行な第２軌道面と、
前記第１方向に垂直な第１筐体第２平面と
を備え、
前記第２筐体は、
第２乃至第４ピンと、
前記第１筐体第２平面と対向する第２筐体第２平面と、
前記第２筐体第１平面を備えた第１基部と、
前記第２筐体第２平面を備えた第２基部と
を備え、
前記第１筐体第１平面及び前記第１筐体第２平面は、互いに反対方向を向き、
前記第２ピンは、前記第２筐体第１平面から前記第１方向に突き出し、
前記第３及び第４ピンは、前記第２筐体第２平面から前記第１方向に突き出し、
前記第２ピンは、前記第１方向に平行な第２接触線に沿って前記第１軌道面に接触し、
前記第３ピンは、前記第１方向に平行な第３接触線に沿って前記第２軌道面に接触し、
前記第１筐体第１平面に沿って第１溝が設けられ、
前記第１軌道面は、前記第１溝の第１壁面であり、
前記第１溝は、第１底面を備え、
前記第１底面は、前記第１ピンの第１先端及び前記第２ピンの第２先端と対向し、
前記第１筐体第２平面に沿って第２溝が設けられ、
前記第２軌道面は、前記第２溝の第２壁面であり、
前記第２溝は、第２底面を備え、
前記第２底面は、前記第３ピンの第３先端及び前記第４ピンの第４先端と対向し、
前記第１基部は、前記第１方向に進退可能なように前記第１ピン及び前記第２ピンを支持し、
前記第１基部は、前記第１先端を前記第１底面に押し付けるように前記第１ピンを付勢し、前記第２先端を前記第１底面に押し付けるように前記第２ピンを付勢する第１付勢部を備え、
前記第２基部は、前記第１方向に進退可能なように前記第３ピン及び前記第４ピンを支持し、
前記第２基部は、前記第３先端を前記第２底面に押し付けるように前記第３ピンを付勢し、前記第４先端を前記第２底面に押し付けるように前記第４ピンを付勢する第２付勢部を備え、
前記第１溝は、第１溝第１端部と、前記第１溝第１端部の反対側の第１溝第２端部とを備え、
前記第２溝は、第２溝第１端部と、前記第２溝第１端部の反対側の第１溝第２端部とを備え、
前記第１底面は、
前記第１溝第１端部に位置する第１底面第１部分と、
前記第１溝第２端部に位置する第１底面第２部分と、
前記第１底面第２部分の前記第１溝第１端部側に位置し、前記第１底面第２部分に隣接した第１底面隣接部分と
を備え、
前記第２底面は、
前記第２溝第１端部に位置する第２底面第１部分と、
前記第２溝第２端部に位置する第２底面第２部分と、
前記第２底面第１部分の前記第１溝第２端部側に位置し、前記第２底面第１部分に隣接した第２底面隣接部分と
を備え、
前記第１底面第１部分は、前記第１溝の深さが前記第１溝第１端部から前記第１溝第２端部に近づくにしたがって浅くなるように、前記第１筐体第１平面に対して傾斜し、
前記第１底面第２部分及び前記第１底面隣接部分の各々は、前記第１溝の深さが前記第１溝第２端部から前記第１溝第１端部に近づくにしたがって浅くなるように、前記第１筐体第１平面に対して傾斜し、
前記第１底面隣接部分は、前記第１底面第２部分よりも緩く傾斜し、
前記第２底面第１部分及び前記第２底面隣接部分の各々は、前記第２溝の深さが前記第２溝第１端部から前記第２溝第２端部に近づくにしたがって浅くなるように、前記第２筐体第２平面に対して傾斜し、
前記第２底面隣接部分は、前記第２底面第１部分よりも緩く傾斜し、
前記第２底面第２端部は、前記第２溝の深さが前記第２溝第２端部から前記第２溝第１端部に近づくにしたがって浅くなるように、前記第２筐体第２平面に対して傾斜し、
前記第１筐体及び前記第２筐体が短縮状態にあるとき、前記第１先端及び前記第２先端の両方が前記第１底第１部分に当接し、前記第３先端が前記第２底面第１部分に当接し、
前記第４先端が前記第２底面隣接部分に当接し、
前記第１筐体及び前記第２筐体が伸長状態にあるとき、前記第１先端が前記第１底面隣接部分に当接し、前記第２先端が前記第１底面第２部分に当接し、前記第３先端及び前記第４先端の両方が前記第２底面第２部分に当接する
請求の範囲２の携帯機器。
【請求項８】
前記第１筐体は、第１板状部分を備え、
前記第１板状部分は、前記第１軌道面と、前記第１軌道面の反対側の第２軌道面と、前記第１筐体第１平面とを備え、
前記第２軌道面は、前記第１方向に平行であり、
前記第２筐体は、前記第２筐体第１平面から前記第１方向に突き出した第２ピンを備え、
前記第１ピン及び前記第２ピンは、前記第１板状部分を挟んで対向し、
前記第２ピンは、前記第１方向に平行な第２接触線に沿って前記第２軌道面に接触する
請求の範囲２の携帯機器。
【請求項９】
前記第１溝は、前記第１ピンの第１先端と対向する第１底面を備え、
前記第１ピンは、前記第１先端に設けられた半球形状部分を備え、
前記第１底面は、前記第１溝の横断面においてＶ字形状をした
請求の範囲３の携帯機器。
【請求項１０】
前記第１筐体は、
第２軌道面と、
前記第１方向に垂直な第１筐体第２平面と
を備え、
前記第１筐体第１平面及び前記第１筐体第２平面は、互いに反対方向を向き、
前記第２筐体は、
第２ピン乃至第４ピンと、
前記第１筐体第２平面と対向する第２筐体第２平面と
を備え、
前記第２ピンは、前記第２筐体第１平面から前記第１方向に突き出し、
前記第３ピン及び前記第４ピンの各々は、前記第２筐体第２平面から前記第１方向に突き出し、
前記第１筐体第１平面に沿って第１溝が設けられ、
前記第１軌道面は前記第１溝の第１壁面であり、
前記第１筐体第２平面に沿って第２溝が設けられ、
前記第２軌道面は前記第２溝の第２壁面であり、
前記第１ピンは、前記第１溝内に配置された第１ピン部分を備え、
前記第２ピンは、前記第１溝内に配置された第２ピン部分を備え、
前記第３ピンは、前記第２溝内に配置された第３ピン部分を備え、
前記第４ピンは、前記第２溝内に配置された第４ピン部分を備え、
前記第１乃至第４ピン部分の各々は、前記第１方向を軸方向とする円柱体であり、
前記第１乃至第３ピン部分は、直径が等しく、
前記第４ピン部分は、前記第１乃至第３ピン部分よりも直径が小さい
請求の範囲２の携帯機器。
【請求項１１】
前記第１軌道面及び前記第２軌道面は、自由曲面である
請求の範囲１０の携帯機器。
【請求項１２】
前記第２筐体は、
前記第２筐体第１平面を備えた第１基部
を備え、
前記第１筐体第１平面に沿って第１溝が設けられ、
前記第１軌道面は、前記第１溝の第１壁面であり、
前記第１溝は、第１底面を備え、
前記第１基部は、前記第１ピンの第１軸の方向に進退可能なように前記第１ピンを支持し、
前記第１基部は、前記第１ピンの第１先端を前記第１底面に押し付けるように前記第１ピンを付勢する第１付勢部を備え、
前記第１溝は、第１溝第１端部と、前記第１溝第１端部の反対側の第１溝第２端部とを備え、
前記第１底面は、前記第１溝第１端部に位置する第１底面第１部分を備え、
前記第１底面第１部分は、前記第１溝の深さが前記第１溝第１端部から前記第１溝第２端部に近づくにしたがって浅くなるように、前記第１筐体第１平面に対して傾斜し、
前記第１ピンは、前記第１先端の反対側に第１ピン基部を備え、
前記第１軸は、前記第１先端が前記第１ピン基部よりも前記第１溝第２端部寄りに配置されるように、前記第２筐体第１平面に対して傾斜した
請求の範囲１の携帯機器。
【請求項１３】
前記第２筐体は、第２ピンを備え、
前記第１基部は、前記第２ピンの第２軸の方向に進退可能なように前記第２ピンを支持し、
前記第１付勢部は、前記第２ピンの第２先端を前記第１底面に押し付けるように前記第２ピンを付勢し、
前記第１底面は、前記第１溝第２部分に位置する第１底面第２部分を備え、
前記第１底面第２部分は、前記第１溝の深さが前記第１溝第２端部から前記第１溝第１端部に近づくにしたがって浅くなるように、前記第１筐体第１平面に対して傾斜し、
前記第２ピンは、前記第１ピンよりも前記第１溝第１端部寄りに配置され、
前記第２ピンは、前記第２先端の反対側に第２ピン基部を備え、
前記第２軸は、前記第２先端が前記第２ピン基部よりも前記第１溝第１端部寄りに配置されるように、前記第２筐体第１平面に対して傾斜した
請求の範囲１２の携帯機器。
【発明の詳細な説明】
【技術分野】
【０００１】
本発明は、携帯電話機、デジタルカメラ、電子手帳のような携帯機器に関し、特に摺動機構を備えた携帯機器に関する。
【背景技術】
【０００２】
近年、携帯機器においては、通話、電子メールの送受信、インターネット接続、ゲームといった多くの機能が求められている。このため、携帯機器においては、大画面の表示装置と、文字入力の操作性を高めるためにある程度の大きさを有するキー操作部とが搭載されることが要求される。一方、携帯機器においては、携帯に便利なように小型化が要求される。これらの要求の両方を満足するために様々な機構を備えた携帯機器が提案されている。例えば、折り畳み機構を備えた折り畳み型の携帯機器や、摺動機構を備えた摺動型の携帯機器が提案されている。【０００３】
特開２００３−２３４８０９号公報、特開２００４−２３５８９７号公報、特開２００５−２６９５６６号公報、特開２００５−２８６９９４号公報、及び特開２００６−５５６４号公報の各々は、摺動機構を備えた携帯機器を開示している。
【発明の開示】
【０００４】
本発明の目的は、がたつきのない円滑な摺動が可能な携帯機器を提供することである。
【０００５】
本発明による携帯機器は、第１筐体と、第２筐体とを具備する。第１筐体は、第１方向に平行な第１軌道面と、第１方向に垂直な第１筐体第１平面とを備える。第２筐体は、第１ピンと、第１筐体第１平面と対向する第２筐体第１平面とを備える。第１ピンは、第２筐体第１平面から突き出す。第２筐体第１平面が第１筐体第１平面に沿って滑る。第１ピンが第１軌道面に沿って滑る。
【０００６】
本発明によれば、がたつきのない円滑な摺動が可能な携帯機器が提供される。
【図面の簡単な説明】
【０００７】
上記発明の目的、効果、特徴は、添付される図面と連携して実施の形態の記述から、より明らかになる。【０００８】
【図１】図１は、本発明の第１の実施形態に係る携帯機器の収納状態を示す斜視図である。
【図２】図２は、第１の実施形態に係る携帯機器の伸長状態を示す斜視図である。
【図３】図３は、第１の実施形態に係る携帯機器の分解図である。
【図４】図４は、第１の実施形態に係る携帯機器のブロック図である。
【図５】図５は、第１の実施形態に係る下部筐体の正面図である。
【図６】図６は、第１の実施形態に係る携帯機器の上部カバーを取り外した状態を示す斜視図である。
【図７】図７は、第１の実施形態に係る携帯機器の断面図を示す。
【図８Ａ】図８Ａは、第１の実施形態に係る携帯機器の摺動動作を説明するための側面図である。
【図８Ｂ】図８Ｂは、第１の実施形態に係る携帯機器の摺動動作を説明するための側面図である。
【図８Ｃ】図８Ｃは、第１の実施形態に係る携帯機器の摺動動作を説明するための側面図である。
【図９】図９は、第１の実施形態に係る下部筐体の側面図である。
【図１０】図１０は、第１の実施形態に係る携帯機器の第１の変形例を示す断面図である。
【図１１】図１１は、第１の実施形態に係る携帯機器の第２の変形例を示す断面図である。
【図１２】図１２は、第１の実施形態に係る携帯機器の第２の変形例を示す側面図である。
【図１３】図１３は、本発明の第２の実施形態に係る携帯機器の収納状態を示す斜視図である。
【図１４】図１４は、第２の実施形態に係る携帯機器の伸長状態を示す斜視図である。
【図１５】図１５は、第２の実施形態に係る携帯機器のブロック図である。
【図１６Ａ】図１６Ａは、第２の実施形態に係る摺動機構の正面図である。
【図１６Ｂ】図１６Ｂは、第２の実施形態に係る摺動機構の側面図である。
【図１７】図１７は、第２の実施形態に係る摺動機構の断面図である。
【図１８】図１８は、第２の実施形態の携帯機器の第１の変形例に係る摺動機構を示す正面図である。
【図１９】図１９は、第２の実施形態の携帯機器の第２の変形例に係る摺動機構を示す正面図である。
【図２０】図２０は、第２の実施形態の携帯機器の第３の変形例に係る摺動機構を示す正面図である。
【図２１】図２１は、第２の実施形態の携帯機器の第４の変形例に係る摺動機構を示す正面図である。
【図２２】図２２は、第２の実施形態の携帯機器の第５の変形例に係る摺動機構を示す断面図である。
【図２３】図２３は、第２の実施形態の携帯機器の第６の変形例に係る摺動機構を示す斜視図である。
【図２４】図２４は、第２の実施形態の携帯機器の第７の変形例に係る摺動機構を示す断面図である。
【図２５】図２５は、第２の実施形態の携帯機器の第８の変形例に係る摺動機構を示す断面図である。
【図２６】図２６は、第２の実施形態に係る携帯機器の側面図である。
【図２７】図２７は、第２の実施形態に係る携帯機器の第９の変形例の側面図である。
【図２８】図２８は、第１の実施形態に係る携帯機器の第３の変形例を示す側面図である。
【図２９】図２９は、第１の実施形態に係る携帯機器の第４の変形例を示す側面図である。
【図３０】図３０は、第１の実施形態に係る携帯機器の第５の変形例を示す側面図である。
【発明を実施するための最良の形態】
【０００９】
以下添付した図面を参照して、本発明の実施の形態を説明する。【００１０】
（第１の実施形態）
図１は、本発明の第１の実施形態に係る携帯機器１の収納状態を示している。携帯機器１は、上部筐体１００と、下部筐体２００とを備えている。携帯機器１は、上部筐体１００及び下部筐体２００が互いに摺動することで、上部筐体１００及び下部筐体２００が重なった収納状態（短縮状態）と、上部筐体１００及び下部筐体２００がずらされた伸長状態をとる。上部筐体１００は、レシーバ１０１と、表示部１０２と、基本操作キー部１０３と、上部カバー１０４と、上部フレーム１０５とを備える。レシーバ１０１、表示部１０２及び基本操作キー部１０３は、上部カバー１０４に実装される。レシーバ１０１、表示部１０２及び基本操作キー部１０３は、上部カバー１０４の表示面１０４ａに配置されている。【００１１】
図２は、携帯機器１の伸長状態を示している。下部筐体２００は、下部フレーム２０１と、下部カバー２０２とを備える。下部フレーム２０１のキー操作面２０１ａには、キー操作部２０３と、マイクロホン２０４とが設けられている。【００１２】
図３は、携帯機器１を分解して示している。上部フレーム１０５は、一つの面が開口した箱形状を有している。上部カバー１０４は、上部フレーム１０５の開口した面を閉じる。上部フレーム１０５には、案内部１０６が固定されている。上部フレーム１０５には、上部ケーブル孔１０５ｂが設けられている。下部フレーム２０１は、一つの面が開口した箱形状を有している。下部カバー２０２は、下部フレーム２０１の開口した面を閉じる。下部フレーム２０１には、下部ケーブル孔２０１ｂが設けられている。下部筐体２００が備える支持部品２０５は、下部フレーム２０１の下部ケーブル孔２０１ｂが設けられている部分に固定されている。案内部１０６及び支持部品２０５は、携帯機器１の摺動機構に含まれる。【００１３】
図４は、携帯機器１のブロック図を示している。上部筐体１００は、サブ基板１１０を内蔵している。下部筐体２００は、主基板２２０、外部コネクタ２２１、スピーカ２２２、バイブレータ２２３、二次電池２２４及びカメラ２２５のような主要部品を内蔵している。携帯機器１は、フレキシブルケーブル１１１を備える。レシーバ１０１、表示部１０２及び基本操作キー部１０３は、サブ基板１１０に接続されている。キー操作部２０３、マイクロホン２０４、外部コネクタ２２１、スピーカ２２２、バイブレータ２２３、二次電池２２４及びカメラ２２５は、主基板２２０に接続されている。フレキシブルケーブル１１１は、上部ケーブル孔１０５ｂ及び下部ケーブル孔２０１ｂを通り、サブ基板１１０と主基板２２０とを接続している。【００１４】
図５は、キー操作面２０１ａに垂直な方向から見た下部筐体２００の正面図を示している。支持部品２０５は、キー操作面２０１ａに配置されている。支持部品２０５は、左右一対の基部２０６と、ピン２１１〜２１４とを備えている。右の基部２０６は、右方向を向く平面２０６ａを備えている。ピン２１１及びピン２１２は、右方向を向く平面２０６ａから右方向に突き出している。左の基部２０６は、左方向を向く平面２０６ａを備えている。ピン２１３及びピン２１４は、左方向を向く平面２０６ａから左方向に突き出している。ピン２１１乃至ピン２１４は、左右方向を軸方向とする円柱体である。ピン２１１乃至ピン２１３の直径はＤ１である。ピン２１４の直径はＤ２である。ピン２１１乃至２１４の各々は、基部２０６によって支持されている。【００１５】
図６は、携帯機器１の上部カバー１０４を取り外した状態を示している。上部フレーム１０５には、左右一対の案内部１０６が固定されている。各案内部１０６は、左右方向に垂直な平面１０６ａを備えている。各案内部１０６には、平面１０６ａに沿ってスリット１０７が設けられている。右の案内部１０６のスリット１０７には、ピン２１１及び２１２が配置されている。左の案内部１０６のスリット１０７には、ピン２１４及びピン２１４が配置されている。【００１６】
図７は、携帯機器１の断面図を示している。右の案内部１０６の平面１０６ａは、右の基部２０６の平面２０６ａと対向している。左の案内部１０６の平面１０６ａは、左の基部２０６の平面２０６ａと対向している。案内部１０６は、スリット１０７に面した軌道面１０６ｂ及び軌道面１０６ｃを備える。軌道面１０６ｂ及び軌道面１０６ｃは、左右方向に平行であり、互いに対向している。ピン２１１乃至２１４の各々は、軌道面１０６ｂと軌道面１０６ｃの間に配置されている。ピン２１１乃至ピン２１４の各々は、基部２０６に設けられたピン取り付け孔２０６ｂに嵌まっている。ピン２１１乃至ピン２１４の各々の円柱面は、左右方向に平行である。ピン２１１乃至ピン２１３の各々の円柱面は、左右方向に平行な接触線に沿って軌道面１０６ｂ及び１０６ｃに接触する。平面１０６ａ及び平面２０６ａは、左右方向に垂直である。上部筐体１００及び下部筐体２００が互いに摺動するとき、ピン２１１乃至ピン２１４の各々はスリット１０７内をスリット１０７に沿って移動する。上部筐体１００及び下部筐体２００が互いに摺動するとき、ピン２１１乃至ピン２１３の各々は軌道面１０６ｂ及び軌道面１０６ｃに沿って滑り、平面１０６ａ及び平面２０６ａは接触した状態で滑る。軌道面１０６ｂ及び１０６ｃとピン２１１乃至ピン２１３とは、上部筐体１００及び下部筐体２００の摺動方向（軌道面１０６ｂ及び１０６ｃに沿う方向）に垂直であって、且つ摺動面（軌道面１０６ｂ及び１０６ｃ）の法線方向である方向の上部筐体１００及び下部筐体２００の相対移動を拘束する。携帯機器１は、軌道面１０６ｂ及び軌道面１０６ｃとピン２１１乃至ピン２１３との間の接触が線接触であるため、ピッチング方向のモーメントを線で受ける。ピッチング方向のモーメントは、左右方向に平行な軸まわりに上部筐体１００及び下部筐体２００の一方を他方に対して回転させるようなモーメントである。平面１０６ａ及び平面２０６ａは、上部筐体１００及び下部筐体２００の摺動方向に垂直であって、且つ摺動面に平行な方向（左右方向）の上部筐体１００及び下部筐体２００の相対移動を拘束する。携帯機器１は、平面１０６ａ及び平面２０６ａの間の接触が面接触であるため、ヨーイング方向のモーメントを面で受ける。ヨーイング方向のモーメントは、上部筐体１００及び下部筐体２００の摺動方向と左右方向の両方に垂直な軸まわりに上部筐体１００及び下部筐体２００の一方を他方に対して回転させるようなモーメントである。平面１０６ａは、スリット１０７の一方側でスリット１０７に沿ってスリット１０７の全長にわたって延びる一方側部分と、スリット１０７の反対側でスリット１０７に沿ってスリット１０７の全長にわたって延びる反対側部分とを備えている。平面２０６ａは、平面１０６ａの一方側部分と接触する部分と、平面１０６ａの反対側部分と接触する他の部分とを備えている。平面１０６ａと平面２０６ａに十分な接触面積が確保される。【００１７】
上部筐体１００と下部筐体２００とを円滑に摺動させるために、スリット１０７内をグリスで潤滑することが好ましい。グリスを用いるかわりに、シリコン系、グラファイト系、ニ硫化モリブデン系に代表される固体潤滑を用いるのも有効である。【００１８】
基部２０６は、ピン２１１乃至ピン２１４の各々を固定的に支持してもよいが、ピン２１１乃至ピン２１４の軸まわりに回転可能に支持することが好ましい。ピン２１１乃至ピン２１４の偏磨耗が防がれる。ピン取り付け孔２０６ｂを潤滑してピン２１１乃至ピン２１４の回転を滑らかにすることで、更に偏磨耗が防がれる。【００１９】
図８Ａ乃至８Ｃは、携帯機器１の摺動動作を説明するための側面図を示す。図８Ａは、収納状態の携帯機器１を示す。図８Ｂは、摺動動作中の携帯機器１を示す。図８Ｃは、伸長状態の携帯機器１を示す。図８Ａ乃至８Ｃにおいては、上部筐体１００が透けているかのように表現されている。【００２０】
図８Ａに示すように、スリット１０７は、端部１０７ａと、端部１０７ａの反対側に位置する端部１０７ｃと、端部１０７ａ及び端部１０７ｃの間に配置された屈曲部１０７ｂとを備えている。ピン２１１及びピン２１２は、携帯機器１の収納状態において、端部１０７ａに配置される。ピン２１３及びピン２１４も、携帯機器１の収納状態において、端部１０７ａに配置される。ピン２１２は、ピン２１１よりも端部１０７ｃに近い位置に配置される。ピン２１４は、ピン２１３よりも端部１０７ｃに近い位置に配置される。【００２１】
図８Ｂに示すように、上部筐体１００は、表示面１０４ａの反対側に表示面１０４ａに平行な裏面１０５ａを備える。裏面１０５ａは、表示面１０４ａとは反対方向を向く。裏面１０５ａは、携帯機器１の収納状態において、キー操作面２０１ａと対向して重なる。裏面１０５ａ及びキー操作面２０１ａは、左右方向に平行である。スリット１０７は、端部１０７ａと屈曲部１０７ｂの間の部分が、裏面１０５ａに対して傾斜角θ１で傾斜している。軌道面１０６ｂは、端部１０７ａと屈曲部１０７ｂの間の部分が、端部１０７ａから屈曲部１０７ｂに近づくにしたがって軌道面１０６ｂと裏面１０５ａとの間隔が小さくなるように、裏面１０５ａに対して傾斜角θ１で傾斜した平面である。軌道面１０６ｃは、端部１０７ａと屈曲部１０７ｂの間の部分が、端部１０７ａから屈曲部１０７ｂに近づくにしたがって軌道面１０６ｃと裏面１０５ａとの間隔が小さくなるように裏面１０５ａに対して傾斜角θ１で傾斜した平面である。スリット１０７は、屈曲部１０７ｂにおいて曲がっている。軌道面１０６ｂ及び軌道面１０６ｃの各々は、屈曲部１０７ｂの部分が曲面である。スリット１０７は、屈曲部１０７ｂと端部１０７ｃの間の部分が、裏面１０５ａに対して傾斜している。軌道面１０６ｂは、屈曲部１０７ｂと端部１０７ｃの間の部分が、屈曲部１０７ｂから端部１０７ｃに近づくにしたがって軌道面１０６ｂと裏面１０５ａの間隔が大きくなるように、裏面１０５ａに対して傾斜している。軌道面１０６ｃは、屈曲部１０７ｂと端部１０７ｃの間の部分が、屈曲部１０７ｂから端部１０７ｃに近づくにしたがって軌道面１０６ｂと裏面１０５ａの間隔が大きくなるように、裏面１０５ａに対して傾斜している。【００２２】
図９に示すように、ピン２１１及びピン２１２（ピン２１３及びピン２１４）の軸を含む平面Ｐは、ピン２１１（ピン２１３）の軸とキー操作面２０１ａの間隔がピン２１２（ピン２１４）の軸とキー操作面２０１ａの間隔よりも大きくなるように、キー操作面２０１ａに対して傾斜角θ１で傾斜している。【００２３】
したがって、図８Ｂに示すように、ピン２１１及びピン２１２（ピン２１３及びピン２１４）が端部１０７ａに配置された状態から屈曲部１０７ｂに配置された状態になるように、上部筐体１００を下部筐体２００に対して摺動させると、キー操作面２０１ａと裏面１０５ａの間の隙間Ｇが広がる。このとき、裏面１０５ａ及びキー操作面２０１ａは、平行に保たれる。ピン２１１及びピン２１２（ピン２１３及びピン２１４）が端部１０７ａに配置された状態から屈曲部１０７ｂに配置された状態になるように、上部筐体１００を下部筐体２００に対して摺動させたときに、キー操作面２０１ａを上部筐体１００が擦ることが防がれる。【００２４】
ピン２１１及びピン２１２（ピン２１３及びピン２１４）が屈曲部１０７ｂに配置された状態から端部１０７ｃに配置された状態になるように、上部筐体１００を下部筐体２００に対して摺動させると、表示面１０４ａがキー操作面２０１ａに対して起きあがる。このとき、裏面１０５ａとキー操作面２０１ａの間に十分な隙間Ｇが形成されているため、上部筐体１００と下部筐体２００が干渉することが防がれる。【００２５】
図８Ｃは、ピン２１１及びピン２１２（ピン２１３及びピン２１４）が端部１０７ｃに配置され、表示面１０４ａがキー操作面２０１ａに対して起きあがった状態の携帯機器１を示している。このとき、表示面１０４ａは、レシーバ１０１とマイクロホン２０４が通話のために適正な位置をとるように、キー操作面２０１ａに対して傾斜している。【００２６】
ピン２１４は、携帯機器１の摺動動作の妨げにならないように、直径Ｄ２が直径Ｄ１よりも小さいことが好ましい。直径Ｄ２は、直径Ｄ１及びスリット１０７の幅（軌道面１０６ｂと軌道面１０６ｃの間隔）の寸法公差に基づいて決定される。この場合、上部筐体１００と下部筐体２００の位置関係は、ピン２１１乃至ピン２１３により決定される。位置関係がピン２１１乃至２１３の３点で決定される場合、軌道面１０６ｂ及び軌道面１０６ｃを左右対象な形状にする必要がない。軌道面１０６ｂ及び軌道面１０６ｃの形状を携帯機器１のデザインに合わせて自由に設計することが可能である。ピン２１４は、ピン２１１乃至ピン２１３のいずれかが損傷した場合、又は、携帯機器１に過度の負荷が加わった場合に機能する補助ピンである。寸法公差上の干渉が無ければ、直径Ｄ２と直径Ｄ１とが等しくてもよい。ピン２１１乃至ピン２１４のいずれが補助ピンであってもよい。【００２７】
図１０は、携帯機器１の第１の変形例を示している。基部２０６は、ピン取り付け孔２０６ｂに配置された軸受２０７を介してピン２１１乃至ピン２１４の各々を支持する。ピン２１１乃至ピン２１４のその軸まわりの回転が滑らかになり、ピン２１１乃至ピン２１４の偏磨耗が効果的に防がれる。軸受２０７は、潤滑ブッシュであることが好ましい。軸受２０７は、ベアリングであってもよい。【００２８】
図１１は、携帯機器１の第２の変形例を示している。案内部１０６が案内部１０６’で置き換えられ、基部２０６が基部２０６’で置き換えられている。ピン２１１がピン２１１ａ’及びピン２１１ｂ’で置き換えられている。同様に、ピン２１２乃至ピン２１４は、ピン２１２ａ’乃至ピン２１４ａ’及びピン２１２ｂ’乃至ピン２１４ｂ’で置き換えられている。案内部１０６’は、左右方向に垂直な平面１０６ｄ’を備えている。平面１０６ｄ’に沿って板形状の凸条部１０７’が設けられている。凸条部１０７’は、左右方向に垂直な平面１０６ａ’と、左右方向に平行な軌道面１０６ｂ’及び軌道面１０６ｃ’とを備えている。これらの面は、凸条部１０７’の全長にわたっている。軌道面１０６ｂ’及び軌道面１０６ｃ’は、軌道面１０６ｂ及び軌道面１０６ｃと同様の形状を有している。軌道面１０６ｂ’及び軌道面１０６ｃ’は、板形状の表面と裏面の関係にある。基部２０６’は、平面２０６ａに対応する平面２０６ａ’を備えている。平面２０６ａ’は、左右方向に垂直であり、平面１０６ｄ’と対向している。ピン２１１ａ’及びピン２１１ｂ’（ピン２１２ａ’乃至ピン２１４ａ’及びピン２１２ｂ’及びピン２１４ｂ’）は、平面２０６ａ’から左右方向に突き出している。ピン２１１ａ’（ピン２１２ａ’乃至ピン２１４ａ’）は、凸条部１０７’を間に挟んでピン２１１ｂ’（ピン２１２ｂ’乃至ピン２１４ｂ’）と対向している。ピン２１１ａ’（ピン２１２ａ’乃至ピン２１４ａ’）は、軌道面１０６ｂ’と接触している。ピン２１１ｂ’（ピン２１２ｂ’乃至ピン２１４ｂ’）は、軌道面１０６ｃ’と接触している。平面２０６ａ’は、平面１０６ａ’と対向して接触している。ピン２１１ａ’（ピン２１２ａ’乃至ピン２１４ａ’）が軌道面１０６ｂ’に沿って滑り、ピン２１１ｂ’（ピン２１２ｂ’乃至ピン２１４ｂ’）が軌道面１０６ｃ’に沿って滑り、平面２０６ａ’が平面１０６ａ’に沿って滑ることで、上部筐体１００と下部筐体２００とが互いに摺動する。【００２９】
図１２に示すように、ピン２１１ａ’（ピン２１２ａ’乃至ピン２１４ａ’）は、左右方向に平行な曲面を備える。この曲面は、左右方向に垂直な断面において弧形状を示す。この曲面は、左右方向に平行な接触線に沿って軌道面１０６ｂ’と接触する。ピン２１１ｂ’（ピン２１２ｂ’乃至ピン２１４ｂ’）は、左右方向に平行な曲面を備える。この曲面は、左右方向に垂直な断面において弧形状を示す。この曲面は、左右方向に平行な接触線に沿って軌道面１０６ｂ’と接触する。ピン２１１ａ’及びピン２１２ａ’（ピン２１３ａ’及びピン２１３ａ’）が軌道面１０６ｂ’と接触する接触線を含む平面Ｐ１は、ピン２１１ａ’（ピン２１３ａ’）と軌道面１０６ｂ’の接触線とキー操作面２０１ａの間隔がピン２１２ａ’（ピン２１４ａ’）と軌道面１０６ｂ’の接触線とキー操作面２０１ａの間隔よりも大きくなるように、キー操作面２０１ａに対して傾斜角θ１で傾斜している。ピン２１１ｂ’及びピン２１２ｂ’（ピン２１３ｂ’及びピン２１３ｂ’）が軌道面１０６ｃ’と接触する接触線を含む平面Ｐ２は、ピン２１１ｂ’（ピン２１３ｂ’）と軌道面１０６ｃ’の接触線とキー操作面２０１ａの間隔がピン２１２ｂ’（ピン２１４ｂ’）と軌道面１０６ｃ’の接触線とキー操作面２０１ａの間隔よりも大きくなるように、キー操作面２０１ａに対して傾斜角θ１で傾斜している。したがって、携帯機器１の第２の変形例は、図８Ａ乃至８Ｃに示すように摺動することが可能である。【００３０】
（第２の実施形態）
図１３は、本発明の第２の実施形態に係る携帯機器２の収納状態を示している。携帯機器２は、上部筐体３００と、下部筐体４００とを備えている。携帯機器２は、上部筐体３００及び下部筐体４００が互いに摺動することで、上部筐体３００及び下部筐体４００が重なった収納状態（短縮状態）と、上部筐体３００及び下部筐体４００がずらされた伸長状態をとる。携帯機器２の摺動は、曲面的である。上部筐体３００は、レシーバ３０１と、表示部３０２と、基本操作キー部３０３と、上部ケーシング３０４とを備える。レシーバ３０１、表示部３０２及び基本操作キー部３０３は、上部ケーシング３０４に実装される。レシーバ３０１、表示部３０２及び基本操作キー部３０３は、上部ケーシング３０４の表示面３０４ａに配置されている。【００３１】
図１４は、携帯機器２の伸長状態を示している。下部筐体４００は、下部ケーシング４０１と、キー操作部４０３と、マイクロホン４０４とを備える。下部ケーシング４０１のキー操作面４０１ａには、キー操作部４０３と、マイクロホン４０４とが設けられている。【００３２】
図１５は、携帯機器２のブロック図を示している。上部筐体３００は、サブ基板３１０を内蔵している。下部筐体４００は、主基板４２０、外部コネクタ４２１、スピーカ４２２、バイブレータ４２３、二次電池４２４及びカメラ４２５のような主要部品を内蔵している。携帯機器２は、フレキシブルケーブル３１１を備える。レシーバ３０１、表示部３０２及び基本操作キー部３０３は、サブ基板３１０に接続されている。キー操作部４０３、マイクロホン４０４、外部コネクタ４２１、スピーカ４２２、バイブレータ４２３、二次電池４２４及びカメラ４２５は、主基板４２０に接続されている。フレキシブルケーブル３１１は、上部ケーシング３０４に設けられた上部ケーブル孔及び下部ケーシング４０１に設けられた下部ケーブル孔を通り、サブ基板３１０と主基板４２０とを接続している。【００３３】
図１６Ａ及び１６Ｂは、携帯機器２の摺動機構の正面図及び側面図をそれぞれ示している。携帯機器２の摺動機構は、支持部品４０５と案内部３０６とを備えている。支持部品４０５は、上部ケーシング３０４に対してねじ止めにより固定される。案内部３０６は、下部ケーシング４０１にねじ止めにより固定される。図１７は、案内部３０６及び支持部品４０５の断面図を示している。【００３４】
案内部３０６は、左右一対の平面３０６ａを備えている。各平面３０６ａは、左右方向に垂直である。右の平面３０６ａは、右方向を向いている。左の平面３０６ａは、左方向を向いている。右の平面３０６ａに沿って右の溝３０７が設けられ、左の平面３０６ａに沿って左の溝３０７が設けられている。支持部品４０５は、左右一対の基部４０６と、ピン４１１〜４１４とを備えている。ピン４１１〜４１４の各々は、左右方向を軸方向とする円柱体であり、基部４０６に設けられたピン取り付け孔４０６ｂに嵌まっている。右の基部４０６は、左右方向に垂直な平面４０６ａを備えている。右の基部４０６の平面４０６ａは、右の平面３０６ａと対向している。ピン４１１及びピン４１２は、右の基部４０６に固定されている。ピン４１１及びピン４１２の各々は、右の基部４０６の平面４０６ａから左方向に突き出している。ピン４１１及びピン４１２の各々の先端は、右の溝３０７に配置されている。左の基部４０６は、左右方向に垂直な平面４０６ａを備えている。左の基部４０６の平面４０６ａは、左の平面３０６ａと対向している。左の基部４０６は、ピン４１３及びピン４１４の各々を軸方向に進退可能に支持している。ピン４１３及びピン４１４の各々は、左の基部４０６の平面４０６ａから右方向に突き出している。ピン４１３及びピン４１４の各々の先端は、左の溝３０７に配置されている。案内部３０６は、各溝３０７に対応して、溝３０７の壁面としての軌道面３０６ｂ及び軌道面３０６ｃを備えている。軌道面３０６ｂ及び軌道面３０６ｃは、左右方向に平行であり、互いに対向している。案内部３０６は、右の溝３０７の底面としての底面３０６ｈと、左の溝３０７の底面としての底面３０６ｄとを備えている。底面３０６ｈは、ピン４１１及びピン４１２の先端と対向している。底面３０６ｄは、ピン４１３及びピン４１４の先端と対向している。底面３０６ｄ及び３０６ｈは、左右方向に垂直な平面である。ピン４１１乃至ピン４１４の各々の円柱面は、左右方向に平行である。ピン４１１乃至ピン４１３の各々の円柱面は、左右方向に平行な接触線に沿って軌道面３０６ｂ及び軌道面３０６ｃに接触する。上部筐体３００及び下部筐体４００が互いに摺動するとき、ピン４１１乃至ピン４１４の各々は溝３０７内を溝３０７に沿って移動する。上部筐体３００及び下部筐体４００が互いに摺動するとき、ピン４１１乃至４１３の各々は、軌道面３０６ｂ及び軌道面３０６ｃに沿って滑り、平面４０６ａ及び平面３０６ａは接触した状態で滑る。携帯機器２は、軌道面３０６ｂ及び軌道面３０６ｃとピン４１１乃至ピン４１３との間の接触が線接触であるため、ピッチング方向のモーメントを線で受ける。携帯機器２は、平面３０６ａ及び平面４０６ａの間の接触が面接触であるため、ヨーイング方向のモーメントを面で受ける。平面３０６ａは、溝３０７の一方側で溝３０７に沿って溝３０７の全長にわたって延びる一方側部分と、溝３０７の反対側で溝３０７に沿って溝３０７の全長にわたって延びる反対側部分とを備えている。平面４０６ａは、平面３０６ａの一方側部分と接触する部分と、平面３０６ａの反対側部分と接触する他の部分とを備えている。平面３０６ａと平面４０６ａに十分な接触面積が確保される。【００３５】
軌道面３０６ｂ及び軌道面３０６ｃが曲面であるため、携帯機器２は、図１３に示す収納状態と図１４に示す伸長状態との間で曲線軌道に沿う摺動動作をする。したがって、図１４に示す伸長状態においては、レシーバ３０１とマイクロホン４０４が通話のために適正な位置をとることが可能である。【００３６】
左の基部４０６は、板ばねのような付勢部材４０７を備える。付勢部材４０７は、ピン４１３の先端を底面３０６ｄに押し付けるようにピン４１３を付勢し、ピン４１４の先端を底面３０６ｄに押し付けるように付勢する。ピン４１３及びピン４１４の先端は、底面３０６ｄに沿って摺動する。底面３０６ｄにピン４１３及び４１４と係り合う凸部３０６ｅを設けることで、携帯機器２の収納状態及び伸長状態において上部筐体３００と下部筐体４００とを固定することが可能である。【００３７】
付勢部材４０７がピン４１３及びピン４１４を付勢する力を強くすれば、上部筐体３００及び下部筐体４００の左右方向の拘束をピン４１１乃至４１４の先端と底面３０６ｄ及び３０６ｈとで行うことが可能である。この場合、支持部品４０５の形状を自由に設計できるという利点がある。【００３８】
上部筐体３００及び下部筐体４００の左右方向の拘束を平面３０６ａ及び平面４０６ａで行う方が、強度的に優れている。【００３９】
ピン４１４は、携帯機器２の摺動動作の妨げにならないように、ピン４１４の直径がピン４１１乃至ピン４１３の共通の直径よりも小さいことが好ましい。ピン４１４の直径は、ピン４１１乃至ピン４１３の直径及び溝３０７の幅（軌道面３０６ｂ及び軌道面３０６ｃの間隔）の寸法公差に基づいて決定される。この場合、上部筐体３００と下部筐体４００の位置関係が、ピン４１１乃至ピン４１３の３点で決定される。位置関係がピン４１１乃至ピン４１３の３点で決定される場合、軌道面３０６ｂ及び軌道面３０６ｃを左右対称な形状にする必要がない。軌道面３０６ｂ及び軌道面３０６ｃの形状を携帯機器２のデザインに合わせて自由に設計することが可能である。ピン４１４は、ピン４１１乃至ピン４１３のいずれかが損傷した場合、又は、携帯機器２に過度の負荷が加わった場合に機能する補助ピンである。寸法公差上の干渉がなければ、ピン４１４の直径とピン４１１乃至ピン４１３の直径とが等しくてもよい。ピン４１１乃至ピン４１４のいずれが補助ピンであってもよい。【００４０】
図１８は、携帯機器２の第１の変形例に係る案内部３０６及び支持部品４０５を示している。右の溝３０７の形状と左の溝３０７の形状とは、左右非対称である。各溝３０７は、端部３０７ａと、端部３０７ａの反対側の端部３０７ｂとを備えている。底面３０６ｈは、平面３０６ａと平行な平面である。一方、底面３０６ｄは、曲面である。底面３０６ｄは、端部３０７ａに位置する部分３２１と、端部３０７ｂに位置する部分３２２と、部分３２１と部分３２２の間の中間部分とを備えている。部分３２１は、左の溝３０７の深さが端部３０７ａ側から端部３０７ｂ側に近づくにしたがって浅くなるように、平面３０６ａに対して傾斜している。部分３２２は、左の溝３０７の深さが端部３０７ｂ側から端部３０７ａ側に近づくにしたがって浅くなるように、平面３０６ａに対して傾斜している。ピン４１３は、ピン４１４よりも端部３０７ａに近い側に配置されている。ピン４１３及びピン４１４の先端は、部分３２１及び３２２に当接する。部分３２１及び３２２がピン４１３及びピン４１４の進退方向に対して傾斜しているため、付勢部材４０７がピン４１３及びピン４１４に与える付勢力が上部筐体３００及び下部筐体４００を摺動させる力に変換される。したがって、上部筐体３００及び下部筐体４００の摺動が補助される。【００４１】
図１９は、携帯機器２の第２の変形例に係る案内部３０６及び支持部品４０５を示している。底面３０６ｄの形状は、図１８に示した形状と同様である。底面３０６ｈの形状は、底面３０６ｄの形状と左右対称な曲面である。底面３０６ｈは、端部３０７ａに部分３２１を備え、端部３０７ｂに部分３２２を備える。右の基部４０６は、ピン４１１及びピン４１２の各々を軸方向に進退可能に支持している。右の基部４０６は、付勢部材４０７を備える。付勢部材４０７は、ピン４１１の先端を底面３０６ｈに押し付けるようにピン４１１を付勢し、ピン４１２の先端を底面３０６ｈに押し付けるように付勢する。ピン４１１は、ピン４１２よりも端部３０７ａに近い側に配置されている。【００４２】
図２０は、携帯機器２の第３の変形例に係る案内部３０６及び支持部品４０５を示している。底面３０６ｄ及び底面３０６ｈは、左右非対称な曲面である。底面３０６ｄは、端部３０７ａに位置する部分３２３と、部分３２３の端部３０７ｂ側に位置するように部分３２３に隣接した部分３２４と、端部３０７ｂに位置する部分３２２と、部分３２４と部分３２２の間の中間部分とを備えている。部分３２３及び部分３２４の各々は、左の溝３０７の深さが端部３０７ａ側から端部３０７ｂ側に近づくにしたがって浅くなるように、平面３０６ａに対して傾斜している。部分３２４は、部分３２３よりも緩く傾斜している。部分３２２の形状は、図１８に示した形状と同様である。底面３０６ｈは、端部３０７ａに位置する部分３２１と、端部３０７ｂに位置する部分３２５と、部分３２５の端部３０７ａ側に位置するように部分３２５に隣接した部分３２６と、部分３２１と部分３２６の間の中間部分とを備えている。底面３０６ｈの部分３２１は、図１９に示した形状と同様に、右の溝３０７の深さが端部３０７ａ側から端部３０７ｂに近づくにしたがって浅くなるように、平面３０６ａに対して傾斜している。部分３２５及び部分３２６の各々は、右の溝３０７の深さが端部３０７ｂ側から端部３０７ａ側に近づくにしたがって浅くなるように、平面３０６ａに対して傾斜している。部分３２６は、部分３２５よりも緩く傾斜している。ピン４１１は、ピン４１２よりも端部３０７ａに近い側に配置されている。ピン４１１及びピン４１２は、軸方向に進退可能なように右の基部４０６に支持されている。右の基部４０６が備える付勢部材４０７は、ピン４１１の先端を底面３０６ｈに押し付けるようにピン４１１を付勢し、ピン４１２の先端を底面３０６ｈに押し付けるようにピン４１２を付勢する。ピン４１３は、ピン４１４よりも端部３０７ａに近い側に配置されている。ピン４１３及びピン４１４は、軸方向に進退可能なように左の基部４０６に支持されている。左の基部４０６が備える付勢部材４０７は、ピン４１３の先端を底面３０６ｄに押し付けるようにピン４１３を付勢し、ピン４１４の先端を底面３０６ｄに押し付けるようにピン４１４を付勢する。携帯機器２が収納状態又は伸長状態の一方の状態にあるとき、ピン４１１の先端が部分３２６に当接し、ピン４１２の先端が部分３２５に当接し、ピン４１３の先端が部分３２２の端部３０７ａ側に当接し、ピン４１４が部分３２２の端部３０７ｂ側に当接する。携帯機器２が収納状態又は伸長状態の他方の状態にあるとき、ピン４１１の先端が部分３２１の端部３０７ａ側に当接し、ピン４１２の先端が部分３２１の端部３０７ｂ側に当接し、ピン４１３の先端が部分３２３に当接し、ピン４１４の先端が部分３２４に当接する。【００４３】
したがって、収納状態及び伸長状態において上部筐体３００と下部筐体４００とが固定される。上部筐体３００及び下部筐体４００の摺動が円滑になるように補助される。上部筐体３００及び下部筐体４００の摺動の連続動作が可能である。【００４４】
図２１は、携帯機器２の第４の変形例に係る案内部３０６及び支持部品４０５を示している。ピン４１１及びピン４１２は、右の基部４０６に固定されている。底面３０６ｈは、左右方向に垂直な平面である。底面３０６ｄは、図１８に示す形状と同様の形状を有している。ピン４１３の軸方向は、ピン４１３の先端４１３ａが端部３０７ａ側に位置し、ピン４１３の基部４１３ｂが端部３０７ｂ側に位置するように、平面４０６ａ（平面３０６ａ）に対して傾斜している。ピン４１４の軸方向は、ピン４１４の先端４１４ａが端部３０７ｂ側に位置し、ピン４１４の基部４１４ｂが端部３０７ａ側に位置するように、平面４０６ａ（平面３０６ａ）に対して傾斜している。左の基部４０６は、ピン４１３及びピン４１４の各々が軸方向に進退可能となるようにピン４１３及び４１４を支持している。携帯機器２が収納状態又は伸長状態の一方の状態にあるとき、先端４１３ａが部分３２２の端部３０７ａ側に当接し、先端４１４ａが部分３２２の端部３０７ｂ側に当接する。携帯機器２が収納状態又は伸長状態の他方の状態にあるとき、先端４１３ａが部分３２１の端部３０７ａ側に当接し、先端４１４ａが部分３２１の端部３０７ｂ側に当接する。【００４５】
したがって、携帯機器２の収納状態及び伸長状態において、付勢部材４０７がピン４１３及びピン４１４を付勢する力を用いて上部筐体３００と下部筐体４００とが相対的に動かないように保持することが可能である。【００４６】
図２２は、携帯機器２の第５の変形例に係る案内部３０６及び基部４０６の断面図を示している。ピン４１１乃至ピン４１４の各々の軸は、平面４０６ａに垂直である。ピン４１１乃至ピン４１４の各々は、軸方向に進退可能なように基部４０６に支持される。ピン４１１乃至ピン４１４の各々は、溝３０７に配置される円柱形状部４１０ａと、先端に設けられた半球形状部４１０ｂとを備える。付勢部材４０７は、ピン４１１乃至ピン４１４の各々の半球形状部４１０ｂを底面３０６ｄ又は底面３０６ｈに押し付ける。底面３０６ｄ及び底面３０６ｈの各々は、溝３０７の横断面（図２２に示された断面）においてＶ字形状を有している。Ｖ字形状の底面３０６ｄ及び底面３０６ｈは、ピン４１１乃至ピン４１４の先端を底面３０６ｄ及び底面３０６ｈに押し付ける場合に好ましい。【００４７】
第２の実施形態においては、付勢部材４０７として、板ばねのかわりに巻きばねを用いてもよい。巻きばねを使用する場合には、ピン４１１乃至４１４の進退のストロークを大きくとることが可能である。【００４８】
図２３は、携帯機器２の第６の変形例に係る案内部３０６及び支持部品４０５を示している。本変形例においては、ピン４１１及びピン４１２は右の基部４０６に固定され、ピン４１３及びピン４１４は左の基部４０６に固定される。【００４９】
図２４は、携帯機器２の第７の変形例に係る案内部３０６の断面図を示している。案内部３０６には、軌道面３０６ｂに開口する板ばね配置穴３０６ｆと、軌道面３０６ｃに開口する板ばね配置穴３０６ｇとが、互いに対向するように設けられている。板ばね配置穴３０６ｆには板ばね３０８が配置されている。板ばね配置穴３０６ｇには板ばね３０９が配置されている。板ばね３０８は、案内部３０６に対して固定された部分と、板ばね配置穴３０６ｆの開口部に配置された係合部３０８ａとを備える。係合部３０８ａは、板ばね３０８の弾性力により、板ばね配置穴３０６ｆの開口部から溝３０７に突き出すように付勢される。板ばね３０９は、案内部３０６に対して固定された部分と、板ばね配置穴３０６ｇの開口部に配置された係合部３０９ａとを備える。係合部３０９ａは、板ばね３０９の弾性力により、板ばね配置穴３０６ｇの開口部から溝３０７に突き出すように付勢される。【００５０】
ピン４１１乃至ピン４１４の円柱面が係合部３０８ａ及び係合部３０９ａと係り合うことにより、上部筐体３００と下部筐体４００とを互いに固定することが可能である。板ばね３０８及び板ばね３０９を端部３０７ａ及び端部３０７ｂに配置すれば、携帯機器２の収納状態及び伸長状態において、上部筐体３００と下部筐体４００とを互いに固定することが可能である。十分な固定が得られるのであれば、板ばね３０８又は板ばね３０９の一方だけを用いてもよい。【００５１】
図２５は、携帯機器２の第８の変形例に係る摺動機構の断面図を示している。案内部３０６が案内部３０６’で置き換えられ、基部４０６が基部４０６’で置き換えられている。ピン４１２（４１１）がピン４１２ａ’及びピン４１２ｂ’（ピン４１１ａ’及びピン４１１ｂ’）で置き換えられている。ピン４１４（４１３）がピン４１４ａ’及びピン４１４ｂ’（ピン４１３ａ’及びピン４１３ｂ’）で置き換えられている。案内部３０６’は、左右方向に垂直な平面３０６ｄ’を備えている。平面３０６ｄ’に沿って板形状の凸条部３０７’が設けられている。凸条部１０７’は、左右方向に垂直な平面３０６ａ’と、左右方向に平行な軌道面３０６ｂ’及び軌道面３０６ｃ’とを備えている。軌道面３０６ｂ’及び軌道面３０６ｃ’は、軌道面３０６ｂ及び軌道面３０６ｃと同様の形状を有している。軌道面３０６ｂ’及び軌道面３０６ｃ’は、板形状の表面と裏面の関係にある。基部４０６’は、平面４０６ａに対応する平面４０６ａ’を備えている。平面４０６ａ’は、左右方向に垂直であり、平面３０６ｄ’と対向している。ピン４１２ａ’及びピン４１２ｂ’（ピン４１１ａ’及びピン４１１ｂ’）は、右の基部４０６’の平面４０６ａ’から、左方向に突き出している。ピン４１４ａ’及びピン４１４ｂ’（ピン４１３ａ’及びピン４１３ｂ’）は、左の基部４０６’の平面４０６ａ’から、右方向に突き出している。ピン４１２ａ’（ピン４１１ａ’）は、凸条部３０７’を間に挟んでピン４１２ｂ’（ピン４１１ｂ’）と対向している。ピン４１４ａ’（ピン４１３ａ’）は、凸条部３０７’を間に挟んでピン４１４ｂ’（ピン４１３ｂ’）と対向している。ピン４１１ａ’乃至ピン４１４ａ’の各々は、左右方向に平行な曲面を備える。この曲面は、左右方向に垂直な断面において弧形状を有する。この曲面は、左右方向に平行な接触線に沿って軌道面３０６ｂ’と接触する。ピン４１１ｂ’乃至ピン４１４ｂ’の各々は、左右方向に平行な曲面を備える。この曲面は、左右方向に垂直な断面において弧形状を有する。この曲面は、左右方向に平行な接触線に沿って軌道面３０６ｃ’と接触する。平面４０６ａ’は、平面３０６ａ’と対向して接触している。ピン４１１ａ’乃至ピン４１４ａ’が軌道面３０６ｂ’に沿って滑り、ピン４１１ｂ’乃至ピン４１４ｂ’が軌道面３０６ｃ’に沿って滑り、平面４０６ａ’が平面３０６ａ７に沿って滑ることで、上部筐体３００と下部筐体４００とが互いに摺動する。【００５２】
図２６は、携帯機器２の側面図を示している。左右方向から見た携帯機器２が示されている。上部筐体３００は、表示面３０４ａの反対側に裏面３０４ｂを備える。裏面３０４ｂは、携帯機器２の収納状態において、キー操作面４０１ａと対向して重なる。裏面３０４ｂ及びキー操作面４０１ａの曲率半径Ｒ１と、溝３０７又は凸条部３０７’の曲率半径（例えば、軌道面３０６ｂ又は軌道面３０６ｂ’の曲率半径）Ｒ２とが異なるため、上部筐体３００と下部筐体４００とを互いに摺動させたときに上部筐体３００がキー操作面４０１ａを擦ることが防がれる。裏面３０４ｂ、キー操作面４０１ａ、溝３０７、凸条部３０７’の曲率中心Ｃは、上部筐体３００側に配置されている。【００５３】
図２７は、携帯機器２の第９の変形例に係る側面図を示している。左右方向から見た携帯機器２が示されている。裏面３０４ｂ、キー操作面４０１ａ、溝３０７、凸条部３０７’の曲率中心Ｃは、下部筐体４００側に配置されている。【００５４】
既述のように、第１の実施形態に係る携帯機器１のピン２１１乃至２１４の断面形状を円とし、ピン２１１乃至２１４を回転可能とすることで、スリット（長孔）１０７との接触位置を連続的に変化させることが可能である。【００５５】
しかし、ピン２１１乃至２１４の断面形状は、円でなくてもかまわない。【００５６】
図２８に示すように、ピン２１１乃至２１４の断面形状を楕円にすることも可能である。図２９に示すように、断面形状が円のピン２１１及び２１２を連結部２１６で連結し、ピン２１３及び２１４も同様に連結することも可能である。図３０に示すように、ピン２１１乃至２１４の断面形状を楕円にし、ピン２１１及び２１２を連結部２１６で連結し、ピン２１３及び２１４も同様に連結することも可能である。連結部２１６は、スリット（長孔）１０７内に配置される。【００５７】
図２８乃至３０に示される構成は、ピン２１１乃至２１４を回転させるためには適さないが、ピン２１１乃至２１４の耐せん断荷重を大きくとることができるため、摺動機構の小型化に有利である。ピン２１１乃至２１４が回転可能ではなく固定される場合であっても、ピン２１１乃至２１４の表面をオイルやグリスで潤滑したり、フッ素系やモリブデン系の表面処理剤を用いて表面を処理したりすることにより、実用上問題がないようにピン２１１乃至２１４を低摩擦化及び耐磨耗化することができる。【００５８】
上記摺動機構は、構造が単純である。上記摺動機構は、小型である。上記摺動機構は、高強度である。上記摺動機構は、ストローク長を大きくとることが可能である。上記摺動機構は、直線軌道、曲率の異なる曲線軌道を組み合わせた摺動軌道をとることが可能である。上記摺動機構は、通話がしやすいように表示面とキー操作面とに角度を持たせた状態で上部筐体と下部筐体を互いに固定することが可能である。【００５９】
上記摺動機構においては、左右一対の軌道面が溝又は凸条部に設けられ、一方の軌道面に沿って２つのピンが移動し、他方の軌道面に沿って少なくとも１つのピンが移動する。左右両側で３つ以上のピンが連続した軌道面に沿って移動することで、摺動軌道を自由に設計することが可能である。したがって、キー操作面を備えた下部筐体に対して表示面を備えた上部筐体を摺動させたときに、上部筐体がキー操作面を擦らないように摺動軌道を設計することが可能である。伸長状態において表示面とキー操作面が所望の角度を有するように摺動軌道を設計することが可能である。【００６０】
上記摺動機構においては、３つのピンにより一方の筐体に対する他方の筐体の位置又は姿勢が決定されるため、ピンどうしが相互干渉することが防がれる。そのため、摺動機構の精度管理が容易であり、摺動のストロークを大きくとることが可能である。【００６１】
上記摺動機構において、円柱形状のピンが溝に沿って移動する場合、ピンの直径と溝の幅が一致することが好ましい。溝の幅を溝に沿って一定にすることで、円滑な摺動が確保され、がたつきが抑制される。３つのピンを用いることで、がたつきのない円滑な摺動が可能となる。【００６２】
上記摺動機構は、摺動方向に垂直であって且つ軌道面に平行な方向の一の筐体と他の筐体との相対移動を、対向して接触する２つの平面で拘束している。したがって、上記摺動機構においては、損耗によるがたつきが抑えられる。仮に、円柱形状をしたピンの先端で上記相対移動を拘束する場合には、ピンとピンが接触する相手側部材との接触面積が小さいためにピン及び相手側部材が損耗しやすい。ピンの先端に潤滑可能なボールを埋め込む方法が考えられる。この場合、ピンの直径を太くする必要がある。【００６３】
上記摺動機構は、通話のためのマイクロホンが設けられたキー操作面と表示面とに角度を持たせた状態で、キー操作面が設けられた下部筐体と表示面が設けられた上部筐体とを固定することが可能である。このように角度を持たせて筐体どうしを固定する機能は、折り畳み型の携帯電話機の機能と同等である。軌道面を連続した曲面とすることで、表示面とキー操作面が平行な状態から表示面をキー操作面に対して徐々に起きあがらせ、最終的に、折り畳み型の携帯電話機のように表示面がキー操作面に対して傾いた状態で上部筐体と下部筐体とを固定することが可能である。【００６４】
上記摺動機構は、キー操作面が設けられた下部筐体と表示面が設けられた上部筐体とを、上部筐体がキー操作面に接触しないように、互いに摺動させることを可能とする。特に、上部筐体の表示面の反対側の面である裏面とキー操作面とが重なった収納状態から上部筐体を下部筐体に対して摺動させる場合に、上記摺動機構は、裏面とキー操作面との隙間が広がっていくような摺動軌道を実現することが可能である。このような摺動軌道は、収納状態において裏面とキー操作面との間の隙間を小さくすることを可能とする。したがって、上記摺動機構によれば、携帯機器の小型化が可能である。【００６５】
上記実施形態による携帯機器は、表示部が収納状態においても露出しているという利点を有する。上記実施形態による携帯機器は、更に、キー操作面を広く取れる、伸長状態においてマイクロホンとレシーバの配置が口と耳の配置に合っている、といった利点を有する。上記実施形態による携帯機器が備える摺動機構は、構造が簡単な点が優れている。【００６６】
上記実施形態においては、変形例を組み合わせることが可能である。組み合わせる変形例の個数は、任意である。【００６７】
上記実施形態による携帯機器のうちのあるものは、例えば、以下のようにまとめることが可能である。【００６８】
携帯機器は、第１筐体と、第２筐体とを具備する。第１筐体は、第１方向に平行な第１軌道面と、第１方向に垂直な第１筐体第１平面とを備える。第２筐体は、第１ピンと、第１筐体第１平面と対向する第２筐体第１平面とを備える。第１ピンは、第２筐体第１平面から突き出す。第２筐体第１平面が第１筐体第１平面に沿って滑る。第１ピンが第１軌道面に沿って滑る。【００６９】
携帯機器は、ヨーイング方向のモーメントを第１筐体第１平面及び第２筐体第２平面で受ける。両平面に十分な接触面積が確保されるため、携帯機器は、がたつきのない円滑な摺動が可能である。【００７０】
第１ピンは、第２筐体第１平面から第１方向に突き出し、第１方向に平行な第１接触線に沿って第１軌道面に接触することが好ましい。【００７１】
携帯機器は、ピッチング方向のモーメントを第１接触線で受ける。したがって、携帯機器は、更に円滑な摺動が可能である。【００７２】
第１筐体第１平面に沿って第１溝が設けられていることが好ましい。第１軌道面は、第１溝の第１壁面である。第１ピンは、第１方向を軸方向とする円柱体を備えることが好ましい。【００７３】
第１溝は、第１ピンの第１先端と対向する第１底面を備えることが好ましい。第２筐体は、第２筐体第１面を備えた第１基部を備えることが好ましい。第１基部は、第１方向に進退可能なように第１ピンを支持する。第１基部は、第１先端を第１底面に押し付けるように第１ピンを付勢する第１付勢部を備える。第１底面に凸部が設けられている。【００７４】
第１底面は、第１溝の深さが第１溝に沿って変化するように第１筐体第１平面に対して傾斜した部分を備えることが好ましい。【００７５】
第１溝は、第１ピンの第１先端と対向する第１底面を備えることが好ましい。第２筐体は、第２筐体第１面を備えた第１基部を備えることが好ましい。第１基部は、第１方向に進退可能なように第１ピンを支持する。第１基部は、第１先端を第１底面に押し付けるように第１ピンを付勢する第１付勢部を備える。第１底面は、第１溝の深さが第１溝に沿って変化するように第１筐体第１面に対して傾斜した部分を備える。【００７６】
第１筐体は、第１方向に平行な第２軌道面と、第１方向に垂直な第１筐体第２平面とを備えることが好ましい。第２筐体は、第２乃至第４ピンと、第１筐体第２平面と対向する第２筐体第２平面と、第２筐体第１平面を備えた第１基部と、第２筐体第２平面を備えた第２基部とを備えることが好ましい。第１筐体第１平面及び第１筐体第２平面は、互いに反対方向を向く。第２ピンは、第２筐体第１平面から第１方向に突き出す。第３及び第４ピンは、第２筐体第２平面から第１方向に突き出す。第２ピンは、第１方向に平行な第２接触線に沿って第１軌道面に接触する。第３ピンは、第１方向に平行な第３接触線に沿って第２軌道面に接触する。第１筐体第１平面に沿って第１溝が設けられることが好ましい。第１軌道面は、第１溝の第１壁面である。第１溝は、第１底面を備える。第１底面は、第１ピンの第１先端及び第２ピンの第２先端と対向する。第１筐体第２平面に沿って第２溝が設けられる。第２軌道面は、第２溝の第２壁面である。第２溝は、第２底面を備える。第２底面は、第３ピンの第３先端及び第４ピンの第４先端と対向する。第１基部は、第１方向に進退可能なように第１ピン及び第２ピンを支持する。第１基部は、第１先端を第１底面に押し付けるように第１ピンを付勢し、第２先端を第１底面に押し付けるように第２ピンを付勢する第１付勢部を備える。第２基部は、第１方向に進退可能なように第３ピン及び第４ピンを支持する。第２基部は、第３先端を第２底面に押し付けるように第３ピンを付勢し、第４先端を第２底面に押し付けるように第４ピンを付勢する第２付勢部を備える。第１溝は、第１溝第１端部と、第１溝第１端部の反対側の第１溝第２端部とを備える。第２溝は、第２溝第１端部と、第２溝第１端部の反対側の第１溝第２端部とを備える。第１底面は、第１溝第１端部に位置する第１底面第１部分と、第１溝第２端部に位置する第１底面第２部分と、第１底面第２部分の第１溝第１端部側に位置し、第１底面第２部分に隣接した第１底面隣接部分とを備える。第２底面は、第２溝第１端部に位置する第２底面第１部分と、第２溝第２端部に位置する第２底面第２部分と、第２底面第１部分の第１溝第２端部側に位置し、第２底面第１部分に隣接した第２底面隣接部分とを備える。第１底面第１部分は、第１溝の深さが第１溝第１端部から第１溝第２端部に近づくにしたがって浅くなるように、第１筐体第１平面に対して傾斜する。第１底面第２部分及び第１底面隣接部分の各々は、第１溝の深さが第１溝第２端部から第１溝第１端部に近づくにしたがって浅くなるように、第１筐体第１平面に対して傾斜する。第１底面隣接部分は、第１底面第２部分よりも緩く傾斜する。第２底面第１部分及び第２底面隣接部分の各々は、第２溝の深さが第２溝第１端部から第２溝第２端部に近づくにしたがって浅くなるように、第２筐体第２平面に対して傾斜する。第２底面隣接部分は、第２底面第１部分よりも緩く傾斜する。第２底面第２端部は、第２溝の深さが第２溝第２端部から第２溝第１端部に近づくにしたがって浅くなるように、第２筐体第２平面に対して傾斜する。第１筐体及び第２筐体が短縮状態にあるとき、第１先端及び第２先端の両方が第１底第１部分に当接し、第３先端が第２底面第１部分に当接し、第４先端が第２底面隣接部分に当接する。第１筐体及び第２筐体が伸長状態にあるとき、第１先端が第１底面隣接部分に当接し、第２先端が第１底面第２部分に当接し、第３先端及び第４先端の両方が第２底面第２部分に当接する。【００７７】
第１筐体は、第１板状部分を備えることが好ましい。第１板状部分は、第１軌道面と、第１軌道面の反対側の第２軌道面と、第１筐体第１平面とを備える。第２軌道面は、第１方向に平行である。第２筐体は、第２筐体第１平面から第１方向に突き出した第２ピンを備えることが好ましい。第１ピン及び第２ピンは、第１板状部分を挟んで対向する。第２ピンは、第１方向に平行な第２接触線に沿って第２軌道面に接触する。【００７８】
第１溝は、第１ピンの第１先端と対向する第１底面を備えることが好ましい。第１ピンは、第１先端に設けられた半球形状部分を備えることが好ましい。第１底面は、第１溝の横断面においてＶ字形状をしている。【００７９】
第１筐体は、第２軌道面と、第１方向に垂直な第１筐体第２平面とを備えることが好ましい。第１筐体第１平面及び第１筐体第２平面は、互いに反対方向を向く。第２筐体は、第２ピン乃至第４ピンと、第１筐体第２平面と対向する第２筐体第２平面とを備えることが好ましい。第２ピンは、第２筐体第１平面から第１方向に突き出す。第３ピン及び第４ピンの各々は、第２筐体第２平面から第１方向に突き出す。第１筐体第１平面に沿って第１溝が設けられることが好ましい。第１軌道面は第１溝の第１壁面である。第１筐体第２平面に沿って第２溝が設けられる。第２軌道面は第２溝の第２壁面である。第１ピンは、第１溝内に配置された第１ピン部分を備えることが好ましい。第２ピンは、第１溝内に配置された第２ピン部分を備える。第３ピンは、第２溝内に配置された第３ピン部分を備える。第４ピンは、第２溝内に配置された第４ピン部分を備える。第１乃至第４ピン部分の各々は、第１方向を軸方向とする円柱体である。第１乃至第３ピン部分は、直径が等しい。第４ピン部分は、第１乃至第３ピン部分よりも直径が小さい。【００８０】
第１軌道面及び第２軌道面は、自由曲面であることが好ましい。【００８１】
第２筐体は、第２筐体第１平面を備えた第１基部を備えることが好ましい。第１筐体第１平面に沿って第１溝が設けられることが好ましい。第１軌道面は、第１溝の第１壁面である。第１溝は、第１底面を備える。第１基部は、第１ピンの第１軸の方向に進退可能なように第１ピンを支持する。第１基部は、第１ピンの第１先端を第１底面に押し付けるように第１ピンを付勢する第１付勢部を備える。第１溝は、第１溝第１端部と、第１溝第１端部の反対側の第１溝第２端部とを備える。第１底面は、第１溝第１端部に位置する第１底面第１部分を備える。第１底面第１部分は、第１溝の深さが第１溝第１端部から第１溝第２端部に近づくにしたがって浅くなるように、第１筐体第１平面に対して傾斜する。第１ピンは、第１先端の反対側に第１ピン基部を備えることが好ましい。第１軸は、第１先端が第１ピン基部よりも第１溝第２端部寄りに配置されるように、第２筐体第１平面に対して傾斜している。【００８２】
第２筐体は、第２ピンを備えることが好ましい。第１基部は、第２ピンの第２軸の方向に進退可能なように第２ピンを支持する。第１付勢部は、第２ピンの第２先端を第１底面に押し付けるように第２ピンを付勢する。第１底面は、第１溝第２部分に位置する第１底面第２部分を備えることが好ましい。第１底面第２部分は、第１溝の深さが第１溝第２端部から第１溝第１端部に近づくにしたがって浅くなるように、第１筐体第１平面に対して傾斜する。第２ピンは、第１ピンよりも第１溝第１端部寄りに配置される。第２ピンは、第２先端の反対側に第２ピン基部を備える。第２軸は、第２先端が第２ピン基部よりも第１溝第１端部寄りに配置されるように、第２筐体第１平面に対して傾斜している。【００８３】
以上、実施の形態を参照して本願発明を説明したが、本願発明は上記実施の形態に限定されるものではない。本願発明の構成や詳細には、本願発明のスコープ内で当業者が理解し得る様々の変更をすることができる。【００８４】
この出願は、２００７年３月３０日に出願された日本出願特願２００７−０９１５９８を基礎とする優先権を主張し、その開示の全てをここに取り込む。
【図１】
2008120701.tif 000003
【図２】
2008120701.tif 000004
【図３】
2008120701.tif 000005
【図４】
2008120701.tif 000006
【図５】
2008120701.tif 000007
【図６】
2008120701.tif 000008
【図７】
2008120701.tif 000009
【図８Ａ】
2008120701.tif 000010
【図８Ｂ】
2008120701.tif 000011
【図８Ｃ】
2008120701.tif 000012
【図９】
2008120701.tif 000013
【図１０】
2008120701.tif 000014
【図１１】
2008120701.tif 000015
【図１２】
2008120701.tif 000016
【図１３】
2008120701.tif 000017
【図１４】
2008120701.tif 000018
【図１５】
2008120701.tif 000019
【図１６Ａ】
2008120701.tif 000020
【図１６Ｂ】
2008120701.tif 000021
【図１７】
2008120701.tif 000022
【図１８】
2008120701.tif 000023
【図１９】
2008120701.tif 000024
【図２０】
2008120701.tif 000025
【図２１】
2008120701.tif 000026
【図２２】
2008120701.tif 000027
【図２３】
2008120701.tif 000028
【図２４】
2008120701.tif 000029
【図２５】
2008120701.tif 000030
【図２６】
2008120701.tif 000031
【図２７】
2008120701.tif 000032
【図２８】
2008120701.tif 000033
【図２９】
2008120701.tif 000034
【図３０】
2008120701.tif 000035
【国際調査報告】
2008120701.tif 000036
2008120701.tif 000037
2008120701.tif 000038
2008120701.tif 000039